(57)【要約】【課題】可撓性があり、塗布の際に正確であり、満足のいく製品の充填を実現するアイライナアプリケータを提供すること。【解決手段】本発明は、ヒトケラチン物質に対する化粧、メイクアップ、またはケア製品のアプリケータであって、製品の塗布表面（２５）を画定し、長手方向軸（Ｙ）に沿って延在し、塗布点（２０）の長手方向軸（Ｙ）に垂直ではなくかつ長手方向軸（Ｙ）を含む面内にない軸（Ｔ）に沿って延在する少なくとも１つの斜走溝を有する、フェルト製の塗布点（２０）を備えた、アプリケータに関する。【選択図】図６
2020168584.tif 000002
【特許請求の範囲】
【請求項１】
瞼に対する化粧、メイクアップ、またはケア製品用のアイライナアプリケータであって、
前記製品の塗布表面（２５）を画定し、長手方向軸（Ｙ）に沿って延在する、フェルト製のアプリケータチップ（２０）であって、前記アプリケータチップ（２０）の前記塗布表面は、その遠位端部に向かって先細になる形状を有する、アプリケータチップ（２０）を有し、
前記塗布表面（２５）が、
−  前記アプリケータチップ（２０）の前記長手方向軸（Ｙ）に垂直ではなくかつ前記長手方向軸（Ｙ）を含む面内に含まれない軸（Ｔ）に沿って延在する、少なくとも１つの斜走溝（３１、３２、３４、３６）、または
−  前記アプリケータチップ（２０）の前記長手方向軸（Ｙ）を含む面（Ｍｌ）内に含まれる軸（Ｔ）に沿ってそれぞれが延在する、少なくとも３つの長手方向溝（３７、３８、３９、４０）、
を有し、前記少なくとも３つの長手方向溝（３７、３８、３９、４０）が不連続である、それぞれが一連のセルまたは長円形の凹所を成し、かつ／または、前記少なくとも３つの長手方向溝（３７、３８、３９、４０）の縁が起伏をたどる、アイライナアプリケータ。
【請求項２】
前記長手方向溝（３７、３８、３９、４０）または斜走溝（３１、３２、３４、３６）が、任意選択で、前記アプリケータチップ（２０）の遠位端部（３５）まで延在する、請求項１に記載のアイライナアプリケータ。
【請求項３】
前記長手方向溝（３７、３８、３９、４０）または斜走溝（３１、３２、３４、３６）が、前記塗布表面（２５）の一部分のみにわたって、または前記塗布表面（２５）の長さ（Ｌｐ）全体にわたって延在する、請求項１に記載のアイライナアプリケータ。
【請求項４】
前記アプリケータチップ（２０）が、取付け用端部片（２１）を有し、前記長手方向溝（３７、３８、３９、４０）または斜走溝（３１、３２、３４、３６）が、前記取付け用端部片（２１）の上に延在する、請求項１に記載のアイライナアプリケータ。
【請求項５】
前記塗布表面（２５）が、前記アプリケータチップ（２０）の前記長手方向軸（Ｙ）に垂直ではなくかつ前記長手方向軸（Ｙ）を含む前記面内に含まれない前記軸（Ｔ）に沿って延在する前記斜走溝（３１、３２、３４、３６）を有し、前記斜走溝（３１、３２）がそれぞれ、前記アプリケータチップ（２０）の前記長手方向軸（Ｙ）の周りに１回転未満にわたって延在する、請求項１に記載のアイライナアプリケータ。
【請求項６】
前記塗布表面（２５）が、前記アプリケータチップ（２０）の前記長手方向軸（Ｙ）に垂直ではなくかつ前記長手方向軸（Ｙ）を含む前記面内に含まれない前記軸（Ｔ）に沿って延在する前記斜走溝（３１、３２、３４、３６）を有し、前記斜走溝（３１、３２）が、前記アプリケータチップ（２０）の前記長手方向軸（Ｙ）の周り全体に延在する１つまたは複数の環状溝を成す、請求項１に記載のアイライナアプリケータ。
【請求項７】
前記塗布表面（２５）が、前記アプリケータチップ（２０）の前記長手方向軸（Ｙ）に垂直ではなくかつ前記長手方向軸（Ｙ）を含む前記面内に含まれない前記軸（Ｔ）に沿って延在する前記斜走溝（３１、３２、３４、３６）を有し、前記アプリケータチップ（２０）が、交差する環状溝を成す少なくとも２つの斜走溝（３１、３２）を有する、請求項１に記載のアイライナアプリケータ。
【請求項８】
前記塗布表面（２５）が、前記アプリケータチップ（２０）の前記長手方向軸（Ｙ）に垂直ではなくかつ前記長手方向軸（Ｙ）を含む前記面内に含まれない前記軸（Ｔ）に沿って延在する前記斜走溝（３１、３２、３４、３６）を有し、少なくとも１つの斜走溝（３４、３６）が、前記アプリケータチップ（２０）の前記長手方向軸（Ｙ）の周りでらせんの経路をたどる、請求項１に記載のアイライナアプリケータ。
【請求項９】
前記塗布表面（２５）が、前記アプリケータチップ（２０）の前記長手方向軸（Ｙ）に垂直ではなくかつ前記長手方向軸（Ｙ）を含む前記面内に含まれない前記軸（Ｔ）に沿って延在する前記斜走溝（３１、３２、３４、３６）を有し、前記アプリケータチップ（２０）が、２つの斜走溝（３４、３６）を有し、前記２つの斜走溝（３４、３６）が、前記アプリケータチップ（２０）の前記長手方向軸（Ｙ）の周りで、別の１つを横切る２つの逆らせんからなる経路をたどる、請求項１に記載のアイライナアプリケータ。
【請求項１０】
前記塗布表面（２５）が、前記アプリケータチップ（２０）の前記長手方向軸（Ｙ）を含む前記面（Ｍｌ）内に含まれる前記軸（Ｔ）に沿ってそれぞれが延在する前記長手方向溝（３７、３８、３９、４０）を有し、前記長手方向溝（３７、３８、３９、４０）が、前記アプリケータチップ（２０）の前記長手方向軸（Ｙ）の周りに等しく分配される、請求項１に記載のアイライナアプリケータ。
【請求項１１】
前記斜走溝及び前記長手方向溝（３１、３２、３４、３６、３７、３８、３９、４０）が連続であるか、または不連続であってそれぞれが一連のセルまたは長円形の凹所を成す、請求項１に記載のアイライナアプリケータ。
【請求項１２】
溝（３１、３２、３４、３６、３７、３８、３９、４０）の、その底部（４１）とその縁部（４２）との間でその長手方向軸（Ｔ）に垂直に測定した最大深さ（Ｐｒ）が、０．１ｍｍから３ｍｍの間である、請求項１に記載のアイライナアプリケータ。
【請求項１３】
前記塗布表面（２５）が、特に前記アプリケータチップ（２０）の遠位端部（３５）の方向に縮小する可変断面を有する、請求項１に記載のアイライナアプリケータ。
【請求項１４】
化粧、メイクアップ、またはケア製品をパッケージングし、瞼にそれを塗布するためのデバイス（１０）であって、
−  塗布される前記製品を収容するリザーバ（１１）と、
−  請求項１に記載のアイライナアプリケータであって、前記アプリケータチップにその近位端部から前記製品が供給される、アイライナアプリケータと、
を有する、デバイス（１０）。
【請求項１５】
−  フェルト製のアプリケータチップ（２０）が製作され、
−  前記アプリケータチップ（２０）内に、長手方向溝（３７、３８、３９、４０）または斜走溝（３１、３２、３４、３６）が作成される、
請求項１に記載のアイライナアプリケータを製造するための方法。
【発明の詳細な説明】
【技術分野】
【０００１】
本発明は、ヒトケラチン物質に化粧製品を塗布するためのアプリケータに関し、より詳細には、それに限定されないが、アイライナアプリケータに関する。本発明は、対応するパッケージングおよび塗布デバイス、ならびに対応するメイクアップ方法にも関する。
【背景技術】
【０００２】
瞼または眉毛のメイクアップを、この目的のために提供されたアプリケータを用いてアイライナの線を描くことによって行うことは、知られているやり方である。
【０００３】
知られているアイライナアプリケータの中で、いくつかは、ねじ切りされたネックが設けられたコンテナを備えており、一般に熱可塑性材料を射出成形してフロック加工被覆することによって製作されるアプリケータチップがその端部に設けられた柄を支持する閉塞キャップが、そのネック上に固定され得る。アプリケータが引き抜かれるときに、柄を払拭し、取られてしまう製品の量を低減するために、通常、ネック内には払拭部材が配置されている。
【０００４】
より実用的であるアプリケータペンも、知られている。しかし、これらのペンの性能は、射出成形またはフェルトチップの機械加工によって製作される、知られているアプリケータ端部片の複雑な形状を有して得ることができるものの性能よりも劣ることがある。
【０００５】
軸方向溝を有するアイライナアプリケータが、特許文献１で知られている。
【０００６】
特許文献２は、長手方向貫通キャビティを有することのできる、口唇または瞼用の化粧用アプリケータについて記載している。
【０００７】
特許文献３は、２本の分枝を有し、それらが一緒に長手方向キャビティを画定し、膜がこの２本の分枝を結合する、口唇または爪用の化粧用アプリケータについて記載している。
【０００８】
特許文献４は、長手方向キャビティを有することのできる、皮膚または爪用の化粧用アプリケータについて記載している。
【０００９】
特許文献５は、凹所を有するアプリケータ部を備えた、プラスチック材料を射出成形することによって製作される口唇用の化粧用アプリケータについて開示している。
【００１０】
特許出願６は、フロック加工した２つのチップを有する、瞼に製品を塗布するためのアプリケータについて開示している。
【先行技術文献】
【特許文献】
【００１１】
【特許文献１】国際公開第２０１１／００４３４１号
【特許文献２】欧州特許出願公開第１７９７７９０号明細書
【特許文献３】欧州特許出願公開第１７２６２３５号明細書
【特許文献４】欧州特許出願公開第１７２６２３６号明細書
【特許文献５】欧州特許出願公開第０９６５２８６号明細書
【特許文献６】欧州特許出願公開第１３３６３５３号明細書
【発明の概要】
【発明が解決しようとする課題】
【００１２】
可撓性があり、塗布の際に正確であり、満足のいく製品の充填を実現するアイライナアプリケータを得ることに、関心が寄せられている。
【課題を解決するための手段】
【００１３】
本発明は、この必要性を満たすことを目的とし、ヒトケラチン物質に化粧、メイクアップ、またはケア製品を塗布するためのアプリケータであって、
−  フェルト製のアプリケータチップであって、製品の塗布表面を画定し、長手方向軸に沿って延在し、アプリケータチップの長手方向軸に垂直ではなくかつ長手方向軸を含む面内に含まれない軸に沿って延在する少なくとも１つの斜走溝を有する、フェルト製のアプリケータチップ
を有する、アプリケータを提案することによって、この目的を達成する。
【００１４】
本発明の別の主題は、ヒトケラチン物質に化粧、メイクアップ、またはケア製品を塗布するためのアプリケータであって、
−  フェルト製のアプリケータチップであって、製品の塗布表面を画定し、長手方向軸に沿って延在し、アプリケータチップの長手方向軸を含む面内に含まれる軸に沿ってそれぞれが延在する少なくとも３つの長手方向溝を有する、フェルト製のアプリケータチップを有する、アプリケータである。
【００１５】
斜走溝があると、アプリケータチップの可撓性、および塗布の際の柔軟性がもたらされる。加えて、溝が、塗布表面上に製品の蓄え分を生み出すことを可能にする。
【００１６】
長手方向溝は、塗布の間の、その遠位端部の方向への製品の流れを促す。
【００１７】
１つまたは複数の長手方向溝または斜走溝は、有利には、アプリケータチップの長手方向軸に垂直ではない軸にそれぞれが全体的に沿って延在する。
【００１８】
１つまたは複数の長手方向溝または斜走溝は、好ましくは、その長さ全体にわたって貫通溝ではない。
【００１９】
１つまたは複数の長手方向溝または斜走溝は、任意選択で、アプリケータチップの遠位端部まで延在してよい。
【００２０】
１つまたは複数の長手方向溝または斜走溝は、塗布表面の一部分のみにわたって、または塗布表面の長さ全体にわたって延在してよい。
【００２１】
いくつかの長手方向溝または斜走溝が、アプリケータチップの長手方向軸の周りに配置されてよい。
【００２２】
長手方向溝は、アプリケータチップの長手方向軸の周りに等しく分配されてよい。こうすることにより、塗布表面上に製品を均一に分配供給することが可能になる。
【００２３】
アプリケータチップが取付け用端部片を有する場合、１つまたは複数の斜走溝または長手方向溝がその上に延在してよい。
【００２４】
１つまたは複数の斜走溝はそれぞれ、アプリケータチップの長手方向軸の周りに１回転未満にわたって延在してよい。
【００２５】
一変形形態では、１つまたは複数の斜走溝が、アプリケータチップの長手方向軸の周り
を１周または複数周して、特に１つまたは複数の環状溝を成す。
【００２６】
アプリケータチップは、交差する環状溝の形態をとる少なくとも２つの斜走溝を有してよい。
【００２７】
一変形形態では、１つまたは複数の斜走溝が、アプリケータチップの長手方向軸の周りでらせんの経路をたどる。
【００２８】
アプリケータチップが、２つの斜走溝を有し、これらが、アプリケータチップの長手方向軸の周りで、別の１つ（ｏｎｅ  ｏｔｈｅｒ）を横切る２つの逆らせんからなる経路をたどってよい。
【００２９】
長手方向溝または斜走溝の縁部は、互いに平行であってもよく、波形起伏をたどってもよい。
【００３０】
長手方向溝または斜走溝の輪郭は、任意の形状のものであってよく、溝は特に、平底、丸底、または傾斜底の溝である。
【００３１】
１つまたは複数の長手方向溝または斜走溝は、連続であってよい。
【００３２】
一変形形態では、１つまたは複数の長手方向溝または斜走溝は不連続であり、特にそれぞれが一連のセル（ｃｅｌｌ）または長円形の凹所を成す。
【００３３】
アプリケータチップは、３から６の間の長手方向溝を備えてよい。
【００３４】
アプリケータチップがいくつかの溝を備える場合、これらは、特にそれらの深さ、幅、もしくは長さの点で、またはそれらの底部もしくはそれらの縁部の形状の点で、互いに同一であってもよく、異なってもよい。
【００３５】
各長手方向溝または斜走溝の深さは、任意選択で、溝の軸に沿って一定であってよい。
【００３６】
溝の、その長手方向軸に垂直に測定した最大深さは、０．１ｍｍから６ｍｍの間であってよい。
【００３７】
各長手方向溝または斜走溝の幅は、任意選択で、溝の軸に沿って一定であってよい。
【００３８】
溝の幅は、０．１ｍｍから２．５ｍｍの間であってよい。
【００３９】
長手方向溝の、その軸に沿ってその端部間で測定した長さは、０．１ｍｍから３０ｍｍの間であってよい。
【００４０】
塗布表面は、特にアプリケータチップの遠位端部の方向に縮小する可変断面を有してよい。
【００４１】
アプリケータチップのアプリケータ部は、任意の形状のものであってよく、特に、その遠位端部に向かって先細になる形状のもの、例えば包絡円錐のものである。
【００４２】
アプリケータチップは、その長手方向軸を通過する対称中心面について対称であってよい。対称形状であることにより、右目と左目をまったく同じようにして、より容易にメイクアップすることが可能になり得る。
【００４３】
アプリケータチップはフェルト製であり、すなわち、アプリケータチップは、すべてが実質的に同じ方向に、特にチップの長手方向軸に沿って配向され、一緒に束ねられる、合成または天然繊維を備える。
【００４４】
繊維は、熱可塑性材料製の、とりわけアクリルポリマー、ポリエステル、もしくはポリアミド製の繊維、または多孔性ポリウレタン製の繊維であってよい。繊維は、１デニール未満、好ましくは０．５から０．９デニールの間、特に０．７デニール（すなわち約９マイクロメートル）の線密度を有してよい。繊維は、ナイロン（登録商標）製であってよい。
【００４５】
斜走溝は、いくつかの繊維を切断し、したがって、製品の毛管作用によるアプリケータチップ内への拡散を変更する。特に、１つまたは複数の溝の構成を調整することによって、塗布表面上での製品の分配に影響を及ぼすことが可能である。具体的には、チップに対する、１つまたは複数の溝によって途絶されていない繊維内への拡散を促すこと、および表面における、１つまたは複数の溝によって途絶された繊維内への製品の拡散を減速させることが可能である。これにより、必要に応じて、チップを用いて滲みのない細線が引けるようになることによって、精度を上げることが可能になり得る。
【００４６】
アプリケータチップは、好ましくは、一体円柱形半加工品を、とりわけあらゆる空間方向に移動可能かつ配向可能である切断工具を用いて切断することによって製作される。
【００４７】
アプリケータチップには、好ましくは、塗布される化粧製品、とりわけアイライナが含侵される。これにより、製品を毛管作用によって容易に拡散させることが可能になり得る。繊維が、アプリケータチップに沿った製品の輸送を可能にする。
【００４８】
１つまたは複数の長手方向溝または斜走溝は、半加工品を機械加工することによって、変形することによって、または加熱することによって、製作されてよい。
【００４９】
１つまたは複数の溝は別として、アプリケータチップが、塗布に使用されるその表面内にどんな穿孔または凹所も有さないことが可能である。したがって、アプリケータチップが、その遠位端部において外向きに凹形のどんな縁部も有さないことが可能である。
【００５０】
アプリケータチップは、塗布表面を画定するアプリケータ部とアプリケータチップをアプリケータペンの本体内またはアプリケータの柄内に取り付けるための端部片との間で、その断面が狭くなっていてよい。
【００５１】
アプリケータチップの遠位端部は、好ましくは、アプリケータチップの長手方向軸上に位置し、前記長手方向軸は、好ましくは、直線状である。
【００５２】
本発明のさらなる主題は、
−  フェルト製のアプリケータチップが、特に一体円柱形半加工品を切断することによって製作され、
−  アプリケータチップ内に、特に半加工品を機械加工することによって、長手方向溝または斜走溝が作成される、
本発明によるアプリケータを製造するための方法である。
【００５３】
本発明のさらなる主題は、化粧、メイクアップ、またはケア製品をパッケージングおよび塗布するためのデバイスであって、
−  塗布される製品、特にアイライナを収容するリザーバと、
−  本発明によるアプリケータと
を有する、デバイスである。
【００５４】
アプリケータチップは、製品を収容するリザーバに永久に留められてよい。デバイスはその場合、ペンの形態をとることができ、アプリケータチップが製品中に浸漬し、したがって、製品が毛管作用によって塗布表面に運ばれる。
【００５５】
一変形形態として、塗布の間、リザーバがアプリケータから分離する。アプリケータチップが、塗布される製品を収容するコンテナに、アプリケータチップに製品を含侵させるために挿入され得るように、アプリケータは、コンテナの閉塞キャップ上に取り付けられた柄を有してよい。
【００５６】
本発明によるアプリケータは、より詳細には、瞼、眉毛、口唇、または爪に化粧、メイクアップ、またはケア製品を塗布するためのものであり、好ましくは、瞼にアイライナを塗布するためのものである。
【００５７】
本発明のさらなる主題は、瞼をメイクアップするための方法であって、本発明によるアプリケータを用いてアイライナを塗布するステップを含む方法である。
【００５８】
本発明のさらなる特徴および利点は、その非限定的な例示的実施形態についての以下の詳細な説明を読むことから、また添付の図面を検討することから、明らかとなろう。
【図面の簡単な説明】
【００５９】
【図１】アプリケータペンの形態をとる、本発明によるパッケージングおよび塗布デバイスの一例の概略立面図である。
【図２】図１のペンのアプリケータチップ自体の概略斜視図である。
【図３】それ自体が概略斜視図として示される、本発明による変形アプリケータチップを示す図である。
【図４】それ自体が概略斜視図として示される、本発明による変形アプリケータチップを示す図である。
【図５】それ自体が概略斜視図として示される、本発明による変形アプリケータチップを示す図である。
【図６】それ自体が概略斜視図として示される、本発明による変形アプリケータチップを示す図である。
【図７】それ自体が概略斜視図として示される、本発明による変形アプリケータチップを示す図である。
【図８】図７のＶＩＩＩ−ＶＩＩＩに沿った横断面図である。
【図９】それ自体が概略斜視図として示される、本発明による変形アプリケータチップを示す図である。
【図１０】それ自体が概略斜視図として示される、本発明による変形アプリケータチップを示す図である。
【図１１】それ自体が概略斜視図として示される、本発明による変形アプリケータチップを示す図である。
【図１２】それ自体が概略斜視図として示される、本発明による変形アプリケータチップを示す図である。
【図１３】それ自体が概略斜視図として示される、本発明による変形アプリケータチップを示す図である。
【図１４】それ自体が概略斜視図として示される、本発明による変形アプリケータチップを示す図である。
【図１５】本発明による変形アプリケータチップの横断面図である。
【図１６】それ自体が概略斜視図として示される、本発明による変形アプリケータチップを示す図である。
【発明を実施するための形態】
【００６０】
図１に示すパッケージングおよび塗布デバイス１０は、軸Ｘに沿った細長い形状をもつ本体１１を備えたアプリケータペンの形態をとり、本体１１は、塗布されるメイクアップ製品、この場合はアイライナを収容するリザーバを画定する。リザーバは、例えば、水、１種もしくは複数種の顔料、とりわけ酸化鉄、および／または１種もしくは複数種の着色剤、ならびにポリマーを収容する。
【００６１】
リザーバの容量は、例えば、１から６ｍｌの間である。
【００６２】
デバイス１０は、図示のように、例えばスナップ留め、ねじり留め、または摩擦によって本体１１上に固定される閉塞キャップ１２を備えてもよい。
【００６３】
本体１１は、本発明によるアプリケータチップ２０を支え、その例は、それ自体が図２から図１４に示されており、アプリケータチップ２０は、本体１１に任意の適切な手段によって固定されてよく、例えば、リザーバと連通する、本体１１の上端部に設けられた対応するハウジング内に圧力嵌合される。
【００６４】
このアプリケータチップ２０は、好ましくは、全体がフェルト製であり、とりわけ、すべてが実質的に同じ方向に、とりわけチップ２０の長手方向軸Ｘに沿って配向され、組み立てられてフェルトを形成する、合成または天然繊維で作成される。
【００６５】
アプリケータチップ２０は、アプリケータチップ２０を本体１１内に固定する働きをする取付け用端部片２１、およびフェルトに含侵するアイライナを皮膚上に堆積させるための皮膚との接触による塗布に役立つ、アプリケータ部２２を有する。
【００６６】
端部片２１は、図９から図１１に示すように、面取りした近位部７０を有してよい。
【００６７】
アプリケータチップ２０は、長手方向軸Ｙに沿って延在し、長手方向軸Ｙは、説明する例では、デバイス１０の本体１１の長手方向軸Ｘと一致する。
【００６８】
アプリケータチップ２０には、その近位端部２３を通じて製品が供給され、製品はその中を軸Ｙに沿って長手方向に、皮膚と接触するためのものであるアプリケータ部２２に達するまで、拡散することができる。
【００６９】
取付け用端部片２１は、説明する例では、軸Ｙについての回転対称形状、および円形断面を有する。取付け用端部片２１の最大直径は、例えば４から６ｍｍの間であり、例えば５ｍｍに等しい。
【００７０】
アプリケータ部２２は、塗布表面２５を画定し、塗布表面２５は、図１および図２の例では、アプリケータチップ２０の長手方向軸Ｙに垂直ではなくかつ長手方向軸Ｙを含む面内に含まれない軸Ｔに沿って延在する、斜走溝３１を有する。
【００７１】
ここで考慮する例では、斜走溝は、アプリケータチップ２０の長手方向軸Ｙの周り全体に延在する環状溝を成す。
【００７２】
図３の変形形態では、塗布表面２５は、環状溝をそれぞれが成す２つの斜走溝３１および３２を有する。
【００７３】
図４に示すさらなる変形形態では、塗布表面２５は、交差する環状溝を成す２つの溝３１および３２を有する。
【００７４】
図１から図４の例では、溝３１および３２の縁部が、互いに平行である。図５の変形形態では、溝３１および３２の縁部は、波状起伏、例えば規則的な波状起伏をたどる。この例では、溝３１または３２の１つの縁部４３に接する接線Ｔｔは、その縁部４３の少なくとも１点において、アプリケータチップ２０の長手方向軸Ｙに対して斜めに配向している。
【００７５】
図５の例では、アプリケータチップ２０を取り付けるための端部片２１も斜走溝３２を有する。取付け用端部片２１上に１つまたは複数の溝があると、塗布の間アプリケータにより大きな柔軟性を与えるという利点、チップを傾けるためにチップを屈曲させるという利点があり得、また、アプリケータ部２２との一貫性があるため、見た目に美しい。
【００７６】
図６に示す変形形態では、斜走溝３４が、長手方向軸Ｙの周りで、遠位端部に近づくと縮小する経路をもつらせん経路をたどる。
【００７７】
図９の変形形態では、アプリケータ部２２の塗布表面２５が、２つの溝３４および３６を有し、これらが、アプリケータチップ２０の長手方向軸Ｙの周りで、別の１つを横切る２つのらせんからなる経路をたどる。
【００７８】
図７および図８の例では、アプリケータ部２２の斜走溝３１が、長手方向軸Ｙの周りに１回転未満にわたって延在する。
【００７９】
図８に示すように、溝３１の、その底部４１とその縁部４２との間でその長手方向軸Ｔに垂直に測定した最大深さＰｒは、例えば０．１ｍｍから３ｍｍの間である。
【００８０】
図１０から図１４の例では、アプリケータ部２２の塗布表面２５は、アプリケータチップ２０の長手方向軸Ｙを含む面Ｍｌ内に含まれる軸Ｔに沿ってそれぞれが延在する、少なくとも３つの長手方向溝３７、３８、３９を有する。
【００８１】
長手方向溝があると、フェルトを形成する繊維を斜走溝よりも大きな長さにわたって途絶させることが可能になり得る。さらに、これにより、塗布表面上に、途絶されていない繊維によって画定されるゾーンを保つことが可能になり、より多量の製品を提供することが可能になり得る。
【００８２】
図１０の例では、長手方向溝３７、３８、３９が、アプリケータチップ２０内にその遠位端部３５から始まって作成される。
【００８３】
図１２に示す変形形態では、長手方向溝３７、３８、３９が、アプリケータチップ２０内にその遠位端部３５から非ゼロ距離ｄｄ隔たったところから始まって作成される。
【００８４】
図１０、図１２、および図１３の例では、長手方向溝３７、３８、３９が、塗布表面２５の長さＬｐのうちの一部分のみにわたって延在する。
【００８５】
図１１および図１４の変形形態では、長手方向溝３７、３８、３９が、塗布表面２５の長さＬｐ全体にわたって延在する。これらの例では、長手方向溝３７、３８、３９は、取付け用端部片上に続く。
【００８６】
図１から図１２、および図１４の例では、溝は連続である。
【００８７】
図１３および図１６の例では、長手方向溝３７、３８、３９は不連続であり、図１３の例では長円形の凹所、図１６の例ではセルを成す。
【００８８】
図１５に示す変形形態では、アプリケータチップ２０が、長手方向軸Ｙの周りに等しく分配された４つの長手方向溝３７、３８、３９、４０を有する。
【００８９】
アプリケータ部２２は、特に図４および図５の例では、長手方向軸Ｙを通過する中心面Ｍについて対称である。
【００９０】
一般に、アプリケータ部２２の長さＬｐは、例えば４から１５ｍｍの間である。アプリケータ部２２の最大横断寸法ｗは、例えば４から６ｍｍの間である。
【００９１】
塗布表面２５は、好ましくは、遠位端部３５の方向に縮小する断面をもつ先細形状のものである。
【００９２】
図１から図１３の例では、アプリケータ部２２は、溝は別として、円錐形状のものである。図１４の変形形態では、アプリケータ部２２は、外向きに凹形の母線を有する。
【００９３】
本発明は、今しがた説明してきた例に限定されない。とりわけ、本発明の範囲から逸脱することなく、アプリケータチップの形状をさらに修正することが可能である。
【００９４】
アプリケータチップは、適切な場合、フロック加工被覆で覆われてよい。
【００９５】
アプリケータチップは、塗布の間、リザーバ本体に必ずしも固定されているとは限らない。アプリケータチップは、アプリケータの柄の端部に取り付けられてもよく、アプリケータは、その使用中ではないときに、製品を収容するコンテナの本体１１に固定され得る。
【００９６】
「１つの〜を備える」という表現は、「少なくとも１つの〜を備える」と同義であると理解すべきである。
【符号の説明】
【００９７】
１０  パッケージングおよび塗布デバイス
１１  本体、リザーバ
１２  閉塞キャップ
２０  アプリケータチップ、塗布点
２１  取付け用端部片
２２  アプリケータ部
２３  近位端部
２５  塗布表面
３１  斜走溝
３２  斜走溝
３４  斜走溝
３５  遠位端部
３６  斜走溝
３７  長手方向溝
３８  長手方向溝
３９  長手方向溝
４０  長手方向溝
４１  底部
４２  縁部
４３  縁部
７０  近位部
ｄｄ  非ゼロ距離
Ｌｐ  長さ
Ｍ  中心面
Ｍｌ  面
Ｐｒ  最大深さ
Ｔ  長手方向軸
Ｔｔ  接線
ｗ  最大横断寸法
Ｘ  長手方向軸
Ｙ  長手方向軸
【図１】
2020168584.tif 000003
【図２】
2020168584.tif 000004
【図３】
2020168584.tif 000005
【図４】
2020168584.tif 000006
【図５】
2020168584.tif 000007
【図６】
2020168584.tif 000008
【図７】
2020168584.tif 000009
【図８】
2020168584.tif 000010
【図９】
2020168584.tif 000011
【図１０】
2020168584.tif 000012
【図１１】
2020168584.tif 000013
【図１２】
2020168584.tif 000014
【図１３】
2020168584.tif 000015
【図１４】
2020168584.tif 000016
【図１５】
2020168584.tif 000017
【図１６】
2020168584.tif 000018